(57)【特許請求の範囲】
【請求項１】
現像ローラと、前記現像ローラに接する層厚規制ブレードとを有し、シートに現像剤像を形成する現像部と、
シートを加熱する加熱部を有する定着器と、
前記現像部と、前記定着器とを収容する筐体と、
前記筐体内の温度である機内温度を検知する機内温度センサと、
前記筐体外の温度である外気温を検知する外気温センサと、
前記現像ローラの駆動状態に応じた定数を記憶する記憶部と、
制御部と、を備え、
前記定数は、前記層厚規制ブレードの発熱量を含み、
前記制御部は、前記機内温度、前記外気温、および、前記現像ローラの駆動状態に基づいて前記現像部の温度として前記現像ローラの温度と前記層厚規制ブレードの温度を演算し、前記現像ローラの温度および前記層厚規制ブレードの温度の少なくとも一方が所定温度より大きい場合に、冷却制御を実行し、
前記現像ローラの温度の演算式は、前記機内温度を含む項と、前記外気温を含む項とを含み、
前記層厚規制ブレードの温度の演算式は、前記機内温度を含む項と、前記外気温を含む項と、前記定数である前記発熱量を含む項とを含み、
前記制御部は、前記現像ローラの駆動状態に応じて前記記憶部から前記発熱量を取得し、取得した前記発熱量を用いて前記層厚規制ブレードの温度の演算をすることを特徴とする画像形成装置。
【請求項２】
前記制御部は、
シートの片面に印字する片面印字と、片面に印字されて前記定着器により加熱されたシートを再び前記現像部に搬送してシートの両面に印字する両面印字と、を実行し、
前記定数は、前記片面印字を実行する場合と前記両面印字を実行する場合のそれぞれに応じており、
前記制御部は、片面印字であるか両面印字であるかに応じて、前記記憶部から前記定数を取得して前記現像部の温度の演算をすることを特徴とする請求項１に記載の画像形成装置。
【請求項３】
前記制御部は、前記機内温度、前記外気温、および、前記現像ローラの駆動状態に基づいて、所定時間おきに、前回の演算から現在までの前記現像部の温度変化である差分温度を演算し、得られた前記差分温度と前回演算した前記現像部の温度との和を現在の前記現像部の温度とすることを特徴とする請求項１または請求項２に記載の画像形成装置。
【請求項４】
前記制御部は、得られた前記現像部の温度と前記機内温度との差が所定範囲内でないときは、前記現像部の温度を前記機内温度とすることを特徴とする請求項１から請求項３のいずれか１項に記載の画像形成装置。
【請求項５】
前記筐体は、外部から空気を取り込むための吸気口を有し、
前記外気温センサは、前記筐体の前記吸気口に対面して配置されていることを特徴とする請求項１から請求項４のいずれか１項に記載の画像形成装置。
【請求項６】
前記機内温度センサは、前記筐体内の前記定着器と前記現像ローラとの間の位置に配置されていることを特徴とする請求項１から請求項５のいずれか１項に記載の画像形成装置。
【請求項７】
前記制御部は、前記冷却制御において、前記現像ローラの回転速度を、前記冷却制御を実行しないときよりも低い速度にすることを特徴とする請求項１から請求項６のいずれか１項に記載の画像形成装置。
【請求項８】
前記制御部は、前記冷却制御において、シートの搬送間隔を、前記冷却制御を実行しないときよりも長くすることを特徴とする請求項１から請求項７のいずれか１項に記載の画像形成装置。
【請求項９】
前記制御部は、前記現像部の温度が第１閾値を超えたとき、前記冷却制御を実行し、前記冷却制御を実行した後、前記現像部の温度が第２閾値を下回ったときに、前記冷却制御の実行を停止することを特徴とする請求項１から請求項８のいずれか１項に記載の画像形成装置。
【請求項１０】
前記制御部は、前記冷却制御において、現像ローラの駆動を停止することを特徴とする請求項９に記載の画像形成装置。
【請求項１１】
前記制御部は、前記現像ローラの温度と前記層厚規制ブレードの温度との差が第２の所定範囲内でないときは、前記現像ローラの温度と前記層厚規制ブレードの温度を前記機内温度とすることを特徴とする請求項１から請求項１０のいずれか１項に記載の画像形成装置。
【請求項１２】
メモリを備え、
前記制御部は、
演算した前記現像部の温度を、前記メモリに記憶させ、
前記画像形成装置の電源がＯＮになったとき、前記機内温度が、前記メモリに記憶された前記現像部の温度よりも低い場合、現在の前記現像部の温度を前記機内温度と同じ値に設定し、前記機内温度が、前記メモリに記憶された前記現像部の温度以上である場合、現在の前記現像部の温度を前記メモリに記憶された前記現像部の温度とすることを特徴とする請求項１から請求項１１のいずれか１項に記載の画像形成装置。
【請求項１３】
前記制御部は、
前記機内温度と前記外気温との差が所定の値以下である場合、現在の前記現像部の温度を前記機内温度と同じ値に設定することを特徴とする請求項１２に記載の画像形成装置。
【請求項１４】
前記現像部は、前記筐体に対して着脱可能に構成され、
前記制御部は、前記現像部が交換されたことを検知した場合、現在の前記現像部の温度を前記外気温に設定することを特徴とする請求項１から請求項１３のいずれか１項に記載の画像形成装置。
【請求項１５】
前記筐体の一部を開閉するカバーを備え、
前記制御部は、前記カバーが所定時間以上開放された後、閉じられたとき、演算した前記現像部の温度が、前記機内温度よりも高い場合、現在の前記現像部の温度を前記機内温度に設定し、演算した前記現像部の温度が、前記機内温度以下である場合、現在の前記現像部の温度を演算した前記現像部の温度とすることを特徴とする請求項１から請求項１４のいずれか１項に記載の画像形成装置。
【発明の詳細な説明】
【技術分野】
【０００１】
本発明は、現像部と、シートを加熱する加熱部を有する定着器とを備える画像形成装置に関する。
【背景技術】
【０００２】
従来、電子写真方式の画像形成装置において、現像ローラを有する現像部でシートに現像剤像を形成した後、加熱部を有する定着器でシートを加熱するように構成されたものがある。このような画像形成装置は、現像部で生じる摩擦や加熱部からの熱などにより現像部の温度が現像剤の融点近くまで上昇すると、現像剤が劣化するおそれがある。このように現像部が高温になるのを抑えるため、例えば特許文献１で開示されている画像形成装置では、現像部に、現像部の温度を測定する装置内温度測定手段を設け、この装置内温度測定手段が測定した現像部内の温度と、外気温とから、現像器の温度の上昇を抑制する制御を行うように構成されている。
【先行技術文献】
【特許文献】
【０００３】
【特許文献１】特開２０１３−１９０７５３号公報
【発明の概要】
【発明が解決しようとする課題】
【０００４】
しかしながら、上述した技術では、現像部に装置内温度測定手段を設けるので、現像部のコストが高くなるという問題があった。
【０００５】
そこで、本発明は、現像器のコストを抑えつつ、適切に現像部の冷却制御を実行し、現像剤の劣化を抑制することができる画像形成装置を提供することを目的とする。
【課題を解決するための手段】
【０００６】
前記した目的を達成するため、本発明の画像形成装置は、現像ローラを有し、シートに現像剤像を形成する現像部と、シートを加熱する加熱部を有する定着器と、現像部と、定着器とを収容する筐体と、筐体内の温度である機内温度を検知する機内温度センサと、筐体外の温度である外気温を検知する外気温センサと、制御部と、を備えている。
制御部は、機内温度、外気温、および、現像ローラの駆動状態に基づいて現像部の温度を演算し、得られた現像部の温度に基づいて冷却制御を実行する。
【０００７】
このように構成された画像形成装置によれば、現像部に温度センサを設ける必要がないので、現像部のコストを抑えることができる。そして、現像部の温度を演算することで、適切に冷却制御を実行し、現像剤の劣化を抑制することができる。
【発明の効果】
【０００８】
本発明によれば、現像部に温度センサを設ける必要がないので、現像部のコストを抑えることができる。そして、現像部の温度を演算することで、適切に冷却制御を実行し、現像剤の劣化を抑制することができる。
【図面の簡単な説明】
【０００９】
【図１】本発明の一実施形態に係るレーザプリンタの概略構成を示す図である。
【図２】制御部の構成を示す図である。
【図３】制御部の動作を説明するフローチャートである。
【図４】制御部による温度演算を説明するフローチャートである。
【図５】制御部による温度演算を説明するフローチャートである。
【図６】制御部による温度演算を説明するフローチャートである。
【図７】制御部による温度演算を説明するフローチャートである。
【図８】制御部によるコールドスタート判定を説明するフローチャートである。
【図９】制御部による温度判定を説明するフローチャートである。
【図１０】制御部によるカバー開時処理を説明するフローチャートである。
【発明を実施するための形態】
【００１０】
次に、本発明の実施形態について、適宜図面を参照しながら詳細に説明する。なお、以下の説明においては、まず、本発明に係る画像形成装置の一例としてのレーザプリンタの全体構成を説明した後、本発明の特徴部分について詳細に説明することとする。
【００１１】
以下の説明において、方向は、図１の紙面に向かって右側を「前側」、紙面に向かって左側を「後側」とし、紙面に向かって奥側を「右側」、紙面に向かって手前側を「左側」とする。また、紙面に向かって上下方向を「上下方向」とする。
【００１２】
図１に示すように、レーザプリンタ１は、筐体２と、シートの一例としての用紙Ｐを画像形成部４に給紙するための給紙部３と、用紙Ｐに画像を形成するための画像形成部４と、搬送部９と、を備えている。
【００１３】
筐体２は、内部に給紙部３や画像形成部４を収容しており、主に、左右一対の本体フレーム２１と、各本体フレーム２１の上部を連結する上パネル２２と、各本体フレーム２１に対して回動可能に設けられるカバーの一例としてのフロントカバー２３と、リアカバー２４と、を備えている。上パネル２２には、筐体２外に排出される用紙Ｐを載置するための排紙トレイ２２Ａが形成されている。
【００１４】
フロントカバー２３は、筐体２の前側に形成される開口部２Ａを開閉するカバーであり、下端部に配置された回動軸２３Ｂを中心として回動可能に設けられている。リアカバー２４は、筐体２の後部を開閉するカバーであり、下端部に配置された回動軸２４Ｂを中心として回動可能に設けられている。レーザプリンタ１は、リアカバー２４を開放することで、画像形成部４から搬出される用紙Ｐを筐体２の後部から後方へ排出可能となっている。
【００１５】
給紙部３は、筐体２内の下部に設けられ、前側から着脱可能に装着される給紙トレイ３１と、給紙トレイ３１内に設けられた圧板３２とを備えている。また、給紙部３は、給紙トレイ３１内に積載される用紙Ｐの前端部の上方に設けられる給紙ローラ３３と、給紙ローラ３３に対して用紙Ｐの搬送方向下流側に設けられる分離ローラ３４および分離パッド３５とを備えている。
【００１６】
さらに、給紙部３は、分離ローラ３４の搬送方向下流側に設けられる紙粉取りローラ３６と、紙粉取りローラ３６の搬送方向下流側に設けられるレジストレーションローラ３７とを備えている。
【００１７】
そして、このように構成される給紙部３では、給紙トレイ３１内の用紙Ｐが、圧板３２によって給紙ローラ３３に付勢され、この給紙ローラ３３で送り出されて分離ローラ３４および分離パッド３５で分離される。その後、用紙Ｐは、紙粉取りローラ３６で紙粉が除去された後、レジストレーションローラ３７によって先端位置が揃えられるとともに適正なタイミングで画像形成部４に搬送される。
【００１８】
画像形成部４は、スキャナユニット５と、現像部の一例としてのプロセスカートリッジ６と、定着器７とを備えている。
【００１９】
スキャナユニット５は、筐体２内の上部に設けられ、図示しないレーザ発光部と、符号を省略して示すポリゴンミラー、レンズおよび反射鏡などを備えている。このスキャナユニット５では、レーザビームを走査して、後述する感光ドラム６１の表面を露光する。
【００２０】
プロセスカートリッジ６は、フロントカバー２３の開放により形成される開口部２Ａを通して筐体２に対して着脱可能に構成されている。プロセスカートリッジ６は、感光ドラム６１と、感光ドラム６１に対向する転写ローラ６２と、現像カートリッジ１０とを備えている。
【００２１】
現像カートリッジ１０は、現像ローラ１２３と、供給ローラ１２２と、現像ローラ１２３に接する層厚規制ブレード１２４と、現像剤の一例としてのトナーを収容するトナー収容部１１１とを主に備えている。
【００２２】
レーザプリンタ１は、現像カートリッジ１０に搭載されたＩＣ１０Ａの情報を読み出す読取部３０を備えている。レーザプリンタ１は、読取部３０の読み取り結果に基づいて、現像カートリッジ１０が新品と交換されたことを検知可能となっている。
【００２３】
プロセスカートリッジ６では、回転する感光ドラム６１の表面が、帯電器により一様に帯電された後、スキャナユニット５からのレーザビームの走査により露光される。これにより、感光ドラム６１の表面に画像データに基づく静電潜像が形成される。また、トナー収容部１１１内のトナーは、まず供給ローラ１２２に供給され、次いで供給ローラ１２２から現像ローラ１２３に供給される。そして、現像ローラ１２３に供給されたトナーは、現像ローラ１２３の回転に伴って、現像ローラ１２３と層厚規制ブレード１２４の間で層厚が規制されて現像ローラ１２３上に担持される。
【００２４】
現像ローラ１２３上に担持されたトナーは、現像ローラ１２３から感光ドラム６１上に形成された静電潜像に供給される。これにより、静電潜像が可視像化され、感光ドラム６１上に現像剤像の一例としてのトナー像が形成される。その後、感光ドラム６１と転写ローラ６２の間を用紙Ｐが搬送されることで感光ドラム６１上のトナー像が用紙Ｐ上に転写される。
【００２５】
定着器７は、符号を省略して示すハロゲンヒータや定着ベルトやニップ板などを備えた用紙Ｐを加熱する加熱部７１と、加熱部７１のニップ板との間で定着ベルトを挟持する加圧ローラ７２とを備えている。このように構成される定着器７では、用紙Ｐ上に転写されたトナーを、用紙Ｐが加熱部７１と加圧ローラ７２との間を通過する間に熱定着している。
【００２６】
搬送部９は、画像形成部４から搬出された用紙Ｐを筐体２の外部に排出する排出機構として機能するとともに、画像形成部４により一方の面に画像が形成された用紙Ｐの裏表を反転させた状態で当該用紙Ｐを画像形成部４へ再度搬送する再搬送手段として機能している。具体的に、搬送部９は、搬送経路９１と、排出ローラ９２と、再搬送経路９３と、を主に備えている。
【００２７】
搬送経路９１は、定着器７の後方から上方に向けて延びた後、進路を前方へ湾曲させるように延びている。
【００２８】
排出ローラ９２は、正逆両方に回転可能に構成されており、正回転時には画像形成部４から搬出された用紙Ｐを筐体２の外部に向けて排出し、逆回転時には用紙Ｐを筐体２内に引き込むように搬送する。
【００２９】
再搬送経路９３は、画像形成部４により一方の面に画像が形成された用紙Ｐを、画像形成部４の下を通って再び画像形成部４へ搬送するように構成されている。
【００３０】
搬送部９では、画像形成が終了した場合には、画像形成部４から搬出された用紙Ｐは、搬送経路９１を搬送され、正回転する排出ローラ９２によって筐体２の外部に排出されて排紙トレイ２２Ａ上に載置される。また、一方の面に画像が形成された用紙Ｐの他方の面に画像を形成する場合には、用紙Ｐの全体が筐体２の外部に完全に排出される前に排出ローラ９２が逆回転することで、用紙Ｐは再度筐体２内に引き戻され、搬送経路９１から再搬送経路９３に搬送される。その後、破線で示すように、用紙Ｐは、再搬送経路９３を搬送され、給紙部３によって再び画像形成部４に搬送される。
【００３１】
筐体２は、ファン８１と、機内温度センサＳＥ１と、吸気口８２と、外気温センサＳＥ２を有している。
【００３２】
ファン８１は、定着器７の前斜め上方に配置されている。ファン８１は、筐体２内の空気を吸引して外部に排出するように構成され、左右一対の本体フレーム２１のうち右側の本体フレーム２１に設けられている。
【００３３】
吸気口８２は、筐体２の後部に設けられた外部から空気を取り込むための開口であり、左右一対の本体フレーム２１の一方に形成されている。具体的には、吸気口８２は、前後方向において定着器７を挟んでプロセスカートリッジ６と反対側に配置されている。また、吸気口８２は、上下方向において定着器７よりも下方に配置されている。すなわち、吸気口８２は、定着器７およびプロセスカートリッジ６が発生する熱の影響を受けにくい位置に配置されている。
【００３４】
機内温度センサＳＥ１は、例えば、サーミスタであり、筐体２内の温度である機内温度を検知するように構成されている。機内温度センサＳＥ１は、前後方向において筐体２内の定着器７と現像ローラ１２３との間の位置に配置されている。また、機内温度センサＳＥ１は、左右一対の本体フレーム２１の一方に配置されている。すなわち、機内温度センサＳＥ１は、筐体２内でプロセスカートリッジ６の外に配置されている。
【００３５】
外気温センサＳＥ２は、例えば、サーミスタであり、吸気口８２の内側に対面して配置されている。この外気温センサＳＥ２は、吸気口８２から取り込まれた空気の温度を検知することで、筐体２外の温度である外気温を検知するように構成されている。
【００３６】
そして、レーザプリンタ１は、図２に示すように、フロントカバー２３の開閉を検知するフロントカバー開閉センサ２３Ａと、リアカバー２４の開閉を検知するリアカバー開閉センサ２４Ａと、制御部１００とをさらに備えている。
【００３７】
フロントカバー開閉センサ２３Ａとリアカバー開閉センサ２４Ａは、各カバー２３，２４が閉じているときカバー２３，２４の一部が当たって制御部１００にＯＮ信号を出力し、各カバー２３，２４が開いているときカバー２３，２４が離間して制御部１００にＯＦＦ信号を出力するように構成されている。
【００３８】
制御部１００は、ＣＰＵ、ＲＡＭ、ＲＯＭなどを有し、ＲＯＭに記憶されたプログラムと、レーザプリンタ１に接続されたパーソナルコンピュータから入力される印刷ジョブや機内温度センサＳＥ１、外気温センサＳＥ２、フロントカバー開閉センサ２３Ａおよびリアカバー開閉センサ２４Ａから入力される信号に基づいて、画像形成部４を制御するように構成されている。
【００３９】
具体的に、制御部１００は、機内温度、外気温、および、現像ローラ１２３の駆動状態に基づいてプロセスカートリッジ６の温度を演算し、得られたプロセスカートリッジ６の温度に基づいて冷却制御を実行するように構成されている。
【００４０】
制御部１００は、印字制御部１１０と、ファン制御部１２０と、カバー開閉判断部１３０と、温度演算部１４０と、記憶部１５０とを主に備えている。
【００４１】
印字制御部１１０は、画像形成部４を制御可能に構成されている。具体的には、印字制御部１１０は、現像ローラ１２３を駆動するためのモータ４Ａやモータ４Ａと現像ローラ１２３を接続する駆動伝達機構４Ｂを制御することで、現像ローラ１２３の回転・停止および回転速度を制御している。駆動伝達機構４Ｂは、モータ４Ａと現像ローラ１２３との間の減速比を変更することで、モータ４Ａの速度に対する現像ローラ１２３の速度を変更可能に構成されている。
【００４２】
また、印字制御部１１０は、定着器７を制御可能に構成されている。本実施形態において、印字制御部１１０は、印字処理を行っていない状態において、定着器７を、レディ状態またはスリープ状態にするようになっている。レディ状態は、定着器７を所定温度に維持した状態であり、スリープ状態は、定着器７がＯＦＦの状態である。
【００４３】
そして、印字制御部１１０は、給紙部３や搬送部９などを制御することで、入力される印刷ジョブに基づいて、用紙Ｐの片面に印字する片面印字と、片面に印字されて定着器７により加熱された用紙Ｐを再びプロセスカートリッジ６に搬送して用紙Ｐの両面に印字する両面印字と、を実行するように構成されている。
【００４４】
また、印字制御部１１０は、片面印字をする場合、印刷ジョブに基づいて、小サイズ紙に印字をするか否かを判断するように構成されている。本実施例では、小サイズ紙でない通常の用紙ＰのサイズはＡ４もしくはレターサイズであり、小サイズ紙はＡ５サイズ以下の用紙Ｐである。
【００４５】
ファン制御部１２０は、ファン８１を制御することで、ファン８１の稼働・停止を切り替えるように構成されている。また、ファン制御部１２０は、ファン８１を稼働するとき、全速または全速よりも遅い速度で稼働させるようになっている。なお、ファン８１を全速で稼働するときは、例えば、画像形成部４によって連続して印字が行われるときであり、ファン８１を全速よりも遅い速度で稼働するときは、例えば、印字前の準備動作中や、印字終了後のときである。
【００４６】
カバー開閉判断部１３０は、フロントカバー開閉センサ２３Ａからの信号に基づいて、フロントカバー２３の開閉を判断するように構成されている。また、カバー開閉判断部１３０は、フロントカバー２３が開いていると判断した場合、フロントカバー２３が開いていた時間をカウント可能になっている。そして、カバー開閉判断部１３０は、リアカバー開閉センサ２４Ａからの信号に基づいて、リアカバー２４の開閉を判断するように構成されている。
【００４７】
温度演算部１４０は、機内温度、外気温、および、現像ローラ１２３の駆動状態等に基づいて、所定時間おきに、前回の演算から現在までのプロセスカートリッジ６の温度変化である差分温度を演算し、得られた差分温度と前回演算したプロセスカートリッジ６の温度との和を現在のプロセスカートリッジ６の温度とする演算を行う。なお、本実施形態では、温度演算部１４０は、プロセスカートリッジ６の温度として、層厚規制ブレード１２４の温度と、現像ローラ１２３の温度とを演算するようになっている。
【００４８】
具体的には、現在の層厚規制ブレード１２４の温度ＴＢ（ｎ）［℃］は、前回演算した層厚規制ブレード１２４の温度ＴＢ（ｎ−１）［℃］と、層厚規制ブレード１２４の差分温度ΔＴＢ［℃］を用いて、
ＴＢ（ｎ）＝ＴＢ（ｎ−１）＋ΔＴＢ  ・・（１）
という演算により求められる。
【００４９】
また、現在の現像ローラ１２３の温度ＴＤ（ｎ）［℃］は、前回演算した現像ローラ１２３の温度ＴＤ（ｎ−１）［℃］と、現像ローラ１２３の差分温度ΔＴＤ［℃］を用いて、
ＴＤ（ｎ）＝ＴＤ（ｎ−１）＋ΔＴＤ  ・・（２）
という演算により求められる。
【００５０】
ここで、（１）式における層厚規制ブレード１２４の差分温度ΔＴＢ［℃］は、機内の空気から層厚規制ブレード１２４に移動する熱量ΔＥｉｎ−Ｂ（ｎ）［Ｊ］と、層厚規制ブレード１２４から外気に移動する熱量ΔＥｏｕｔ−Ｂ（ｎ）［Ｊ］と、層厚規制ブレード１２４の発熱量ＱＢ［Ｗ］を用いて、
ΔＴＢ
＝（ΔＥｉｎ−Ｂ（ｎ）−ΔＥｏｕｔ−Ｂ（ｎ）＋ＱＢ×Δｔ）／ＣＢ  ・・（３）
ただし、
ＣＢ［Ｊ／℃］  層厚規制ブレードの熱容量
Δｔ［ｓ］      前回の演算から現在までの時間
という演算により求められる。
【００５１】
なお、（３）式における機内の空気から層厚規制ブレード１２４に移動する熱量ΔＥｉｎ−Ｂ（ｎ）［Ｊ］は、前回取得した機内温度Ｔｉｎ（ｎ−１）［℃］と、前回演算した層厚規制ブレード１２４の温度ＴＢ（ｎ−１）［℃］と、機内の空気と層厚規制ブレード１２４の間の熱抵抗Ｒｉｎ−Ｂ［℃／Ｗ］を用いて、
ΔＥｉｎ−Ｂ（ｎ）
＝（Ｔｉｎ（ｎ−１）−ＴＢ（ｎ−１））×Δｔ／Ｒｉｎ−Ｂ  ・・（４）
という演算により求められる。
【００５２】
また、（３）式における層厚規制ブレード１２４から外気に移動する熱量ΔＥｏｕｔ−Ｂ（ｎ）［Ｊ］は、前回取得した外気温Ｔｏｕｔ（ｎ−１）［℃］と、前回演算した層厚規制ブレード１２４の温度ＴＢ（ｎ−１）［℃］と、外気温と層厚規制ブレード１２４の間の熱抵抗Ｒｏｕｔ−Ｂ［℃／Ｗ］とを用いて、
ΔＥｏｕｔ−Ｂ（ｎ）
＝（ＴＢ（ｎ−１）−Ｔｏｕｔ（ｎ−１））×Δｔ／Ｒｏｕｔ−Ｂ  ・・（５）
という演算により求められる。
【００５３】
なお、（３）〜（５）式におけるＱＢ、ＣＢ、Ｒｉｎ−Ｂ、Ｒｏｕｔ−Ｂは、層厚規制ブレード１２４の温度を演算するときに用いられる定数であり、現像ローラ１２３の駆動状態などレーザプリンタ１の状態によって異なっている。
【００５４】
次に、現像ローラ１２３の差分温度ΔＴＤ［℃］について説明する。現像ローラ１２３は、感光ドラム６１と接しているため、層厚規制ブレード１２４との摩擦熱の他、用紙Ｐから受ける熱の影響がある。そのため、現像ローラ１２３の温度は、現像ローラ１２３と感光ドラム６１の接点での熱を考慮して演算される。
【００５５】
（２）式における現像ローラの差分温度ΔＴＤ［℃］は、機内の空気から現像ローラ１２３に移動する熱量ΔＥｉｎ−Ｄ（ｎ）［Ｊ］と、現像ローラ１２３から外気に移動する熱量ΔＥｏｕｔ−Ｄ（ｎ）［Ｊ］と、現像ローラ１２３と感光ドラム６１の接点から現像ローラ１２３へ移動する熱量ΔＥＰ−Ｄ（ｎ）［Ｊ］とを用いて、
ΔＴＤ
＝（ΔＥｉｎ−Ｄ（ｎ）＋ΔＥＰ−Ｄ（ｎ）−ΔＥｏｕｔ−Ｄ（ｎ））／ＣＤ  ・・（６）
ただし、
ＣＤ［Ｊ／℃］  現像ローラの熱容量
という演算により求められる。
【００５６】
なお、（６）式における機内の空気から現像ローラ１２３に移動する熱量ΔＥｉｎ−Ｄ（ｎ）［Ｊ］は、前回取得した機内温度Ｔｉｎ（ｎ−１）［℃］と、前回演算した現像ローラ１２３の温度ＴＤ（ｎ−１）［℃］と、機内の空気と現像ローラ１２３の間の熱抵抗Ｒｉｎ−Ｄ［℃／Ｗ］を用いて、
ΔＥｉｎ−Ｄ（ｎ）
＝（Ｔｉｎ（ｎ−１）−ＴＤ（ｎ−１））×Δｔ／Ｒｉｎ−Ｄ  ・・（７）
という演算により求められる。
【００５７】
また、（６）式における現像ローラ１２３から外気に移動する熱量ΔＥｏｕｔ−Ｄ（ｎ）［Ｊ］は、前回取得した外気温Ｔｏｕｔ（ｎ−１）［℃］と、前回演算した現像ローラ１２３の温度ＴＤ（ｎ−１）［℃］と、外気温と現像ローラ１２３の間の熱抵抗Ｒｏｕｔ−Ｄ［℃／Ｗ］とを用いて、
ΔＥｏｕｔ−Ｄ（ｎ）
＝（ＴＤ（ｎ−１）−Ｔｏｕｔ（ｎ−１））×Δｔ／Ｒｏｕｔ−Ｄ  ・・（８）
という演算により求められる。
【００５８】
そして、（６）式における現像ローラ１２３と感光ドラム６１の接点から現像ローラ１２３へ移動する熱量ΔＥＰ−Ｄ（ｎ）［Ｊ］は、前回演算した現像ローラ１２３と感光ドラム６１の接点の温度ＴＰ（ｎ−１）［℃］と、前回演算した現像ローラ１２３の温度ＴＤ（ｎ−１）［℃］と、現像ローラ１２３と感光ドラム６１の接点と現像ローラ１２３の間の熱抵抗ＲＰ−Ｄ［℃／Ｗ］とを用いて、
ΔＥＰ−Ｄ（ｎ）
＝（ＴＰ（ｎ−１）−ＴＤ（ｎ−１））×Δｔ／ＲＰ−Ｄ  ・・（９）
という演算により求められる。なお、現像ローラ１２３と感光ドラム６１の接点の温度ＴＰ（ｎ）［℃］は、現像ローラ１２３と感光ドラム６１の接点の発熱量ＱＰ［Ｗ］を用いて、
ＴＰ（ｎ）
＝（ＱＰ×Δｔ−ΔＥＰ−Ｄ（ｎ））／ＣＰ＋ＴＰ（ｎ−１）    ・・（１０）
ただし、
ＣＰ［Ｊ／℃］  現像ローラと感光ドラムの接点の熱容量
という演算により求められる。
【００５９】
（６）〜（１０）式におけるＣＤ、Ｒｉｎ−Ｄ、Ｒｏｕｔ−Ｄ、ＲＰ−Ｄ、ＱＰ、ＣＰは、現像ローラ１２３の温度を演算するときに用いられる定数であり、現像ローラ１２３の駆動状態など各状態によって異なっている。
【００６０】
温度演算部１４０は、現像ローラ１２３の駆動状態、リアカバー２４の開閉状態、片面印字を実行する場合と両面印字を実行する場合、用紙Ｐのサイズ、ファン８１の駆動状態、定着器７の状態の各状態のそれぞれに応じて、記憶部１５０から上記した定数（ＱＢ、ＣＢ、Ｒｉｎ−Ｂ、Ｒｏｕｔ−Ｂ、ＣＤ、Ｒｉｎ−Ｄ、Ｒｏｕｔ−Ｄ、ＲＰ−Ｄ、ＱＰ、ＣＰ）を取得し、取得した定数を用いて層厚規制ブレード１２４の温度と現像ローラ１２３の温度を演算する。このとき、前回の演算から現在までの時間Δｔ［ｓ］は、通常時と省電力モード時などで異なる値であってもよく、演算時にΔｔ［ｓ］を取得することで、任意の時間間隔で演算が可能である。すなわち、所定時間印字動作を行わなかった場合は、省電力モードとして、演算の時間間隔を長く設定することが可能となる。
【００６１】
ここで、現像ローラ１２３の駆動状態は、本実施形態では、現像ローラ１２３を駆動するためのモータ４Ａの駆動・停止、および、現像ローラ１２３の回転速度である。温度演算部１４０は、現像ローラ１２３の回転速度を、印字制御部１１０が設定した現像ローラ１２３の回転速度から判定してもよいし、モータ４Ａの動作状態と駆動伝達機構４Ｂの駆動状態から判定してもよい。
【００６２】
なお、温度演算部１４０は、演算した層厚規制ブレード１２４の温度ＴＢ（ｎ）［℃］と現像ローラ１２３の温度ＴＤ（ｎ）［℃］を、次回の演算で用いる前回の演算での層厚規制ブレード１２４の温度ＴＢ（ｎ−１）［℃］と現像ローラ１２３の温度ＴＤ（ｎ−１）［℃］として、記憶部１５０に記憶させるように構成されている。また、温度演算部１４０は、今回の演算で用いた機内温度Ｔｉｎ（ｎ）［℃］と外気温Ｔｏｕｔ（ｎ）［℃］も、次回の演算で用いる前回の機内温度Ｔｉｎ（ｎ−１）［℃］と外気温Ｔｏｕｔ（ｎ−１）［℃］として、記憶部１５０に記憶させるように構成されている。
【００６３】
そして、温度演算部１４０は、得られた層厚規制ブレード１２４の温度と現像ローラ１２３の温度が適切な値であるか判断し、適切でない場合には、不適切な冷却制御が実行されるのを抑制するため、演算結果をリセットするようになっている。
【００６４】
具体的に、温度演算部１４０は、得られた層厚規制ブレード１２４の温度と機内温度との差、および、得られた現像ローラ１２３の温度と機内温度との差が所定範囲内、具体的には、第１所定温度Ｔ１［℃］以上第２所定温度Ｔ２［℃］以下の範囲にないとき、層厚規制ブレード１２４の温度ＴＢ（ｎ）と現像ローラ１２３の温度ＴＤ（ｎ）をそれぞれ機内温度Ｔｉｎ（ｎ）［℃］に設定するようになっている。さらに、温度演算部１４０は、現像ローラ１２３の温度と層厚規制ブレード１２４の温度との差が第２の所定範囲にないとき、具体的には、第３所定温度Ｔ３［℃］より大きいとき、層厚規制ブレード１２４の温度ＴＢ（ｎ）と現像ローラ１２３の温度ＴＤ（ｎ）をそれぞれ機内温度Ｔｉｎ（ｎ）［℃］に設定するようになっている。
【００６５】
また、温度演算部１４０は、レーザプリンタ１の電源がＯＮになったとき、その時点で測定した機内温度と外気温の差が第６所定温度Ｔ６［℃］以下の場合、または、機内温度が、記憶部１５０に記憶された層厚規制ブレード１２４の温度ＴＢ（ｎ）´［℃］および現像ローラ１２３の温度ＴＤ（ｎ）´［℃］よりも低い場合、現在の層厚規制ブレード１２４の温度ＴＢ（ｎ）と現在の現像ローラ１２３の温度ＴＤ（ｎ）を、機内温度Ｔｉｎ（ｎ）［℃］と同じ値に設定するようになっている。これにより、レーザプリンタ１が長時間ＯＦＦ状態になっており、現像カートリッジ１０の温度が前回演算したときより下がっていても、適切な演算結果を得ることが可能である。
【００６６】
そして、温度演算部１４０は、レーザプリンタ１の電源がＯＮになったとき、その時点で測定した機内温度と外気温の差が第６所定温度Ｔ６［℃］より大きく、さらに、機内温度が、記憶部１５０に記憶された層厚規制ブレード１２４の温度ＴＢ（ｎ）´［℃］および現像ローラ１２３の温度ＴＤ（ｎ）´［℃］以上である場合、現在の層厚規制ブレード１２４の温度ＴＢ（ｎ）と現在の現像ローラ１２３の温度ＴＤ（ｎ）を、記憶部１５０に記憶された層厚規制ブレード１２４の温度ＴＢ（ｎ）´［℃］と現在の現像ローラ１２３の温度ＴＤ（ｎ）´［℃］とするようになっている。これにより、印字後にレーザプリンタ１の電源がＯＦＦとなり、機内温度が十分に下がる前に再度電源がＯＮにされた場合であっても、適切な演算結果を得ることが可能である。
【００６７】
また、温度演算部１４０は、現像カートリッジ１０が交換されたことを検知した場合、現在の層厚規制ブレード１２４の温度ＴＢ（ｎ）と現像ローラ１２３の温度ＴＤ（ｎ）を機内温度Ｔｉｎ（ｎ）［℃］に設定するようになっている。これにより、現像カートリッジ１０を交換して、前回演算したときよりも温度の低い現像カートリッジ１０が装着されても、適切な演算結果を得ることが可能である。
【００６８】
そして、温度演算部１４０は、フロントカバー２３が所定時間以上、例えば、３分以上開放された後、閉じられたとき、演算した層厚規制ブレード１２４の温度と現像ローラ１２３の温度が機内温度Ｔｉｎ（ｎ）［℃］よりも高い場合、現在の層厚規制ブレード１２４の温度ＴＢ（ｎ）と現像ローラ１２３の温度ＴＤ（ｎ）を機内温度Ｔｉｎ（ｎ）［℃］に設定し、演算した層厚規制ブレード１２４の温度と現像ローラ１２３の温度が機内温度Ｔｉｎ（ｎ）［℃］以下である場合、現在の層厚規制ブレード１２４の温度ＴＢ（ｎ）と現像ローラ１２３の温度ＴＤ（ｎ）を演算した層厚規制ブレード１２４の温度と現像ローラ１２３の温度とするようになっている。これにより、長時間フロントカバー２３を開放することで、現像カートリッジ１０の温度が前回演算したときより下がっていても、適切な演算結果を得ることが可能である。
【００６９】
記憶部１５０は、温度演算部１４０が行う演算で用いる、現像ローラ１２３の駆動状態、リアカバー２４の開閉状態、片面印字を実行する場合と両面印字を実行する場合、用紙Ｐのサイズ、ファン８１の駆動状態、定着器７の状態の各状態のそれぞれに応じた定数（ＱＢ、ＣＢ、Ｒｉｎ−Ｂ、Ｒｏｕｔ−Ｂ、ＣＤ、Ｒｉｎ−Ｄ、Ｒｏｕｔ−Ｄ、ＲＰ−Ｄ、ＱＰ、ＣＰ）を記憶している。具体的には、各状態の複数の組み合わせと複数の定数の関係を示すマップを記憶している。
【００７０】
また、記憶部１５０は、不揮発性メモリを備え、この不揮発性メモリに、適宜温度演算部１４０が演算した層厚規制ブレード１２４の温度ＴＢ（ｎ）［℃］と現像ローラ１２３の温度ＴＤ（ｎ）［℃］、および、演算で用いた機内温度Ｔｉｎ（ｎ）［℃］と外気温Ｔｏｕｔ（ｎ）［℃］を記憶するように構成されている。なお、記憶部１５０がレーザプリンタ１の電源がＯＦＦになっていても通電する回路を有する揮発性メモリを備えている場合には、当該揮発性メモリに、温度演算部１４０が演算した層厚規制ブレード１２４の温度ＴＢ（ｎ）［℃］と現像ローラ１２３の温度ＴＤ（ｎ）［℃］、および、演算で用いた機内温度Ｔｉｎ（ｎ）［℃］と外気温Ｔｏｕｔ（ｎ）［℃］を記憶させてもよい。
【００７１】
そして、印字制御部１１０は、印刷ジョブを受信すると、記憶部１５０に記憶されている現在の層厚規制ブレード１２４の温度ＴＢ（ｎ）［℃］と現像ローラ１２３の温度ＴＤ（ｎ）［℃］を取得し、現在の層厚規制ブレード１２４の温度ＴＢ（ｎ）［℃］と現像ローラ１２３の温度ＴＤ（ｎ）［℃］の少なくとも一方が第１閾値である第５所定温度Ｔ５［℃］より大きい場合に、冷却制御を実行するように構成されている。そして、印字制御部１１０は、現在の層厚規制ブレード１２４の温度ＴＢ（ｎ）［℃］と現像ローラ１２３の温度ＴＤ（ｎ）［℃］の両方が、第２閾値である第４所定温度Ｔ４［℃］を下回ったときに、冷却制御の実行を停止するように構成されている。なお、層厚規制ブレード１２４の温度ＴＢ（ｎ）［℃］と現像ローラ１２３の温度ＴＤ（ｎ）［℃］が、第２閾値以下となったときを、第２閾値を下回ったときとしてもよいし、第２閾値より低くなったときを、第２閾値を下回ったときとしてもよい。
【００７２】
なお、第５所定温度Ｔ５［℃］は、トナーの融点以下の温度である。そして、第４所定温度Ｔ４［℃］は、第５所定温度Ｔ５［℃］と同じでもよいし、第５所定温度Ｔ５［℃］より低い温度であってもよい。
【００７３】
印字制御部１１０は、冷却制御を実行していないとき、現像ローラ１２３の回転速度Ｖを第１速度Ｖ１［ｒｐｍ］にする。そして、印字制御部１１０は、冷却制御において、現像ローラ１２３の回転速度Ｖを第１速度Ｖ１［ｒｐｍ］よりも低い第２速度Ｖ２［ｒｐｍ］にする。
【００７４】
さらに、印字制御部１１０は、冷却制御を実行していないとき、用紙Ｐの搬送間隔Ｄを、第１間隔Ｄ１［ｓ］にする。そして、印字制御部１１０は、冷却制御において、用紙Ｐの搬送間隔Ｄを、第１間隔Ｄ１［ｓ］より長い第２間隔Ｄ２［ｓ］にする。ここで、搬送間隔Ｄは、給紙部３によって複数の用紙Ｐが画像形成部４に送られる時間間隔である。すなわち、搬送間隔Ｄは、単位時間当たりに画像形成部４に搬送される用紙Ｐの枚数と相関する。
【００７５】
次に、制御部１００の具体的な制御動作について説明する。
図３に示すように、レーザプリンタ１の電源がＯＮになると、制御部１００は、まずコールドスタート判定を行う（Ｓ１）。
【００７６】
図８に示すように、制御部１００は、コールドスタート判定を開始すると、まず、機内温度センサＳＥ１と外気温センサＳＥ２の検知結果から、現在の機内温度Ｔｉｎ（ｎ）［℃］と現在の外気温Ｔｏｕｔ（ｎ）［℃］の差の絶対値が第６所定温度Ｔ６［℃］以下であるか否かを判定する（Ｓ１０１）。
【００７７】
ステップＳ１０１で、現在の機内温度Ｔｉｎ（ｎ）［℃］と現在の外気温Ｔｏｕｔ（ｎ）［℃］の差の絶対値が第６所定温度Ｔ６［℃］以下あると判定した場合（Ｓ１０１，Ｙｅｓ）、制御部１００は、現在の層厚規制ブレード１２４の温度ＴＢ（ｎ）を機内温度センサＳＥ１が検知した現在の機内温度Ｔｉｎ（ｎ）［℃］に設定するとともに、現在の現像ローラ１２３の温度ＴＤ（ｎ）を機内温度センサＳＥ１が検知した現在の機内温度Ｔｉｎ（ｎ）［℃］に設定する（Ｓ１０２）。
【００７８】
ステップＳ１０１で、現在の機内温度Ｔｉｎ（ｎ）［℃］と現在の外気温Ｔｏｕｔ（ｎ）［℃］の差の絶対値が第６所定温度Ｔ６［℃］以下でないと判定した場合（Ｓ１０１，Ｎｏ）、制御部１００は、記憶部１５０に記憶されている層厚規制ブレード１２４の温度ＴＢ（ｎ）´［℃］が現在の機内温度Ｔｉｎ（ｎ）［℃］より高く、かつ、記憶部１５０に記憶されている現像ローラ１２３の温度ＴＤ（ｎ）´［℃］が現在の機内温度Ｔｉｎ（ｎ）［℃］より高いか否かを判定する（Ｓ１０３）。
【００７９】
ステップＳ１０３で、記憶部１５０に記憶されている層厚規制ブレード１２４の温度ＴＢ（ｎ）´［℃］が現在の機内温度Ｔｉｎ（ｎ）［℃］より高く、かつ、記憶部１５０に記憶されている現像ローラ１２３の温度ＴＤ（ｎ）´［℃］が現在の機内温度Ｔｉｎ（ｎ）［℃］より高いと判定した場合（Ｓ１０３，Ｙｅｓ）、制御部１００は、ステップＳ１０２に進んで、現在の層厚規制ブレード１２４の温度ＴＢ（ｎ）を機内温度センサＳＥ１が検知した現在の機内温度Ｔｉｎ（ｎ）［℃］に設定するとともに、現在の現像ローラ１２３の温度ＴＤ（ｎ）を機内温度センサＳＥ１が検知した現在の機内温度Ｔｉｎ（ｎ）［℃］に設定する。
【００８０】
ステップＳ１０３で、記憶部１５０に記憶されている層厚規制ブレード１２４の温度ＴＢ（ｎ）´［℃］が現在の機内温度Ｔｉｎ（ｎ）［℃］より高く、かつ、記憶部１５０に記憶されている現像ローラ１２３の温度ＴＤ（ｎ）´［℃］が現在の機内温度Ｔｉｎ（ｎ）［℃］より高いと判定されなかった場合（Ｓ１０３，Ｎｏ）、制御部１００は、現在の層厚規制ブレード１２４の温度ＴＢ（ｎ）を記憶部１５０に記憶されている層厚規制ブレード１２４の温度ＴＢ（ｎ）´［℃］に設定するとともに、現在の現像ローラ１２３の温度ＴＤ（ｎ）を記憶部１５０に記憶されている現像ローラ１２３の温度ＴＤ（ｎ）´［℃］に設定する（Ｓ１０４）。
【００８１】
そして、制御部１００は、ステップＳ１０２またはステップＳ１０４の後、コールドスタート判定を終了する。
【００８２】
図３に示すように、制御部１００は、コールドスタート判定を行った後、ステップＳ２に進んで温度演算を行う。なお、本実施形態において、制御部１００は、ステップＳ２からステップＳ７の制御を、所定の制御のサイクルで繰り返し行う。
【００８３】
図４に示すように、制御部１００は、温度演算を開始すると、まず、リアカバー２４が開いているか否かを判定する（Ｓ２０１）。
【００８４】
ステップＳ２０１で、リアカバー２４が開いていないと判定した場合（Ｓ２０１，Ｎｏ）、制御部１００は、リアカバー開フラグＦＣをゼロに設定する（Ｓ２０２）。一方、ステップＳ２０１で、リアカバー２４が開いていると判定した場合（Ｓ２０１，Ｙｅｓ）、制御部１００は、リアカバー開フラグＦＣを１に設定する（Ｓ２０３）。
【００８５】
ステップＳ２０２またはステップＳ２０３でリアカバー開フラグＦＣを設定した後、制御部１００は、現像ローラ１２３を駆動するモータ４Ａが駆動中であるか否かを判定する（Ｓ２０４）。
【００８６】
ステップＳ２０４で、現像ローラ１２３を駆動するモータ４Ａが駆動中であると判定すると（Ｓ２０４，Ｙｅｓ）、制御部１００は、モータフラグＦＭを１に設定し（Ｓ２０５）、現像ローラ１２３が第１速度Ｖ１［ｒｐｍ］で回転しているか否かを判定する（Ｓ２０６）。
【００８７】
ステップＳ２０６で、現像ローラ１２３が第１速度Ｖ１［ｒｐｍ］で回転していると判定した場合（Ｓ２０６，Ｙｅｓ）、制御部１００は、現像ローラ速度フラグＦＶを１に設定する（Ｓ２０７）。一方、ステップＳ２０６で、現像ローラ１２３が第１速度Ｖ１［ｒｐｍ］で回転していないと判定した場合（Ｓ２０６，Ｎｏ）、制御部１００は、現像ローラ速度フラグＦＶをゼロに設定する（Ｓ２０８）。
【００８８】
ステップＳ２０７またはステップＳ２０８で現像ローラ速度フラグＦＶを設定した後、制御部１００は、印刷ジョブがあるか否かを判定する（Ｓ２０９）。
【００８９】
ステップＳ２０９で、印刷ジョブがあると判定した場合（Ｓ２０９，Ｙｅｓ）、制御部１００は、ジョブフラグＦＪを１に設定し（Ｓ２１０）、図５に示すように、両面印字を実行するか否かを判定する（Ｓ２１１）。
【００９０】
ステップＳ２１１で、両面印字を実行しない、つまり、片面印字を実行すると判定した場合（Ｓ２１１，Ｎｏ）、制御部１００は、両面印字フラグＦＰをゼロに設定し（Ｓ２１２）、小サイズ紙に印字をするか否かを判定する（Ｓ２１３）。
【００９１】
ステップＳ２１３で、小サイズ紙に印字しないと判定した場合（Ｓ２１３，Ｎｏ）、制御部１００は、用紙サイズフラグＦＳをゼロに設定する（Ｓ２１４）。一方、ステップＳ２１３で、小サイズ紙に印字すると判定した場合（Ｓ２１３，Ｙｅｓ）、制御部１００は、用紙サイズフラグＦＳを１に設定する（Ｓ２１５）。
【００９２】
ステップＳ２１４またはステップＳ２１５で用紙サイズフラグＦＳを設定した後、制御部１００は、これまでに設定したフラグＦＣ，ＦＭ，ＦＪ，ＦＰ，ＦＳ，ＦＲ，ＦＦ１，ＦＦ２に応じて、記憶部１５０から定数を取得する（Ｓ２１６）。
【００９３】
そして、ステップＳ２１６で定数を取得した後、制御部１００は、現在の層厚規制ブレード１２４の温度ＴＢ（ｎ）と、現在の現像ローラ１２３の温度ＴＤ（ｎ）を演算する（Ｓ２１７）。
【００９４】
ステップＳ２１１で、両面印字を実行すると判定した場合（Ｓ２１１，Ｙｅｓ）、制御部１００は、両面印字フラグＦＰを１に設定し（Ｓ２１８）、ステップＳ２１６へ進んで定数を取得する。
【００９５】
また、図４に示すように、ステップＳ２０９で、印刷ジョブがないと判定した場合（Ｓ２０９，Ｎｏ）、制御部１００は、ジョブフラグＦＪをゼロに設定し（Ｓ２１９）、図５に示すように、ステップＳ２１６に進んで定数を取得する。
【００９６】
そして、図４に示すように、ステップＳ２０４で、現像ローラ１２３を駆動するモータ４Ａが駆動してないと判定すると（Ｓ２０４，Ｎｏ）、制御部１００は、モータフラグＦＭをゼロに設定し（Ｓ２２０）、図７に示すように、定着器７がレディ状態であるか否かを判定する（Ｓ２２１）。
【００９７】
ステップＳ２２１で、定着器７がレディ状態でないと判定した場合（Ｓ２２１，Ｎｏ）、制御部１００は、定着器フラグＦＲをゼロに設定する（Ｓ２２２）。一方、ステップＳ２２１で、定着器７がレディ状態であると判定した場合（Ｓ２２１，Ｙｅｓ）、制御部１００は、定着器フラグＦＲを１に設定する（Ｓ２２３）。
【００９８】
ステップＳ２２２またはステップＳ２２３で定着器フラグＦＲを設定した後、制御部１００は、ファン８１が稼働中であるか否かを判定する（Ｓ２２４）。
【００９９】
ステップＳ２２４で、ファン８１が稼働中であると判定した場合（Ｓ２２４，Ｙｅｓ）、制御部１００は、ファンフラグＦＦ１を１に設定し（Ｓ２２５）、ファン８１が全速で稼働しているか否かを判定する（Ｓ２２６）。
【０１００】
ステップＳ２２６で、ファン８１が全速で稼働していると判定した場合（Ｓ２２６，Ｙｅｓ）、制御部１００は、ファン速度フラグＦＦ２を１に設定する（Ｓ２２７）。一方、ステップＳ２２６で、ファン８１が全速で稼働していないと判定した場合（Ｓ２２６，Ｎｏ）、制御部１００は、ファン速度フラグＦＦ２をゼロに設定する（Ｓ２２８）。
【０１０１】
ステップＳ２２７またはステップＳ２２８でファン速度フラグＦＦ２を設定した後、制御部１００は、図５に示すように、ステップＳ２１６に進んで定数を取得する。
【０１０２】
また、図７に示すように、ステップＳ２２４で、ファン８１が稼働していないと判定した場合（Ｓ２２４，Ｎｏ）、制御部１００は、ファンフラグＦＦ１をゼロに設定し（Ｓ２２９）、図５に示すように、ステップＳ２１６に進んで定数を取得する。
【０１０３】
ステップＳ２１７で、現在の層厚規制ブレード１２４の温度ＴＢ（ｎ）［℃］と、現在の現像ローラ１２３の温度ＴＤ（ｎ）［℃］を演算すると、図６に示すように、制御部１００は、３つの条件（１）ステップＳ２１７で得られた層厚規制ブレード１２４の温度ＴＢ（ｎ）［℃］と機内温度Ｔｉｎ（ｎ）［℃］の差の絶対値が第１所定温度Ｔ１［℃］と第２所定温度Ｔ２［℃］の間である、（２）ステップＳ２１７で得られた現像ローラ１２３の温度ＴＤ（ｎ）［℃］と機内温度Ｔｉｎ（ｎ）［℃］の差の絶対値が第１所定温度Ｔ１［℃］と第２所定温度Ｔ２［℃］の間である、および、（３）ステップＳ２１７で得られた層厚規制ブレード１２４の温度ＴＢ（ｎ）［℃］と現像ローラ１２３の温度ＴＤ（ｎ）［℃］の差の絶対値が第３所定温度Ｔ３［℃］以下である、のすべてが満たされているか否かを判定する（Ｓ２３０）。
【０１０４】
ステップＳ２３０で、３つの条件がすべて満たされていると判定した場合（Ｓ２３０，Ｙｅｓ）、制御部１００は、記憶部１５０の、次回の演算で用いる前回の演算での層厚規制ブレード１２４の温度ＴＢ（ｎ−１）［℃］、現像ローラ１２３の温度ＴＤ（ｎ−１）［℃］、前回の機内温度Ｔｉｎ（ｎ−１）［℃］および外気温Ｔｏｕｔ（ｎ−１）［℃］を更新し（Ｓ２３２）、温度演算を終了する。
【０１０５】
一方、ステップＳ２３０で、３つの条件のうち１つ以上満たしていないと判定した場合（Ｓ２３０，Ｎｏ）、制御部１００は、現在の層厚規制ブレード１２４の温度ＴＢ（ｎ）を機内温度センサＳＥ１が検知した機内温度Ｔｉｎ（ｎ）［℃］とするとともに、現在の現像ローラ１２３の温度ＴＤ（ｎ）を機内温度センサＳＥ１が検知した機内温度Ｔｉｎ（ｎ）［℃］とし（Ｓ２３１）、ステップＳ２３２に進んで、記憶部１５０内のデータを更新する。
【０１０６】
図３に示すように、ステップＳ２の温度演算を終了した後、制御部１００は、印刷ジョブがあるか否かを判定する（Ｓ３）。
【０１０７】
ステップＳ３で、印刷ジョブがないと判定した場合（Ｓ３，Ｎｏ）、すなわちジョブフラグＦＪがゼロの場合、制御部１００は、フロントカバー２３が開いているか否かを判定する（Ｓ６）。
【０１０８】
一方、ステップＳ３で、印刷ジョブがあると判定した場合（Ｓ３，Ｙｅｓ）、すなわちジョブフラグＦＪが１の場合、制御部１００は、温度判定を行う（Ｓ４）。
【０１０９】
図９に示すように、制御部１００は、温度判定を開始すると、まず、記憶部１５０から現在の層厚規制ブレード１２４の温度ＴＢ（ｎ）［℃］と、現在の現像ローラ１２３の温度ＴＤ（ｎ）［℃］を取得する（Ｓ４０１）。
【０１１０】
そして、制御部１００は、取得した層厚規制ブレード１２４の温度ＴＢ（ｎ）［℃］が第４所定温度Ｔ４［℃］以下であり、かつ、取得した現像ローラ１２３の温度ＴＤ（ｎ）［℃］が第４所定温度Ｔ４以下［℃］であるか否かを判定する（Ｓ４０２）。
【０１１１】
ステップＳ４０２で、取得した層厚規制ブレード１２４の温度ＴＢ（ｎ）［℃］が第４所定温度Ｔ４［℃］以下であり、かつ、取得した現像ローラ１２３の温度ＴＤ（ｎ）［℃］が第４所定温度Ｔ４［℃］以下であると判定した場合（Ｓ４０２，Ｙｅｓ）、制御部１００は、用紙Ｐの搬送間隔Ｄを第１間隔Ｄ１［ｓ］にするとともに、現像ローラ１２３の回転速度Ｖを第１速度Ｖ１［ｒｐｍ］にする（Ｓ４０４）。
【０１１２】
ステップＳ４０２で、取得した層厚規制ブレード１２４の温度ＴＢ（ｎ）［℃］が第４所定温度Ｔ４［℃］以下であり、かつ、取得した現像ローラ１２３の温度ＴＤ（ｎ）［℃］が第４所定温度Ｔ４［℃］以下である、という条件を満たさないと判定した場合（Ｓ４０２，Ｎｏ）、制御部１００は、ステップＳ４０１で取得した層厚規制ブレード１２４の温度ＴＢ（ｎ）［℃］が第５所定温度Ｔ５［℃］以下であり、かつ、ステップＳ４０１で取得した現像ローラ１２３の温度ＴＤ（ｎ）［℃］が第５所定温度Ｔ５［℃］以下であるか否かを判定する（Ｓ４０３）。
【０１１３】
ステップＳ４０３で、取得した層厚規制ブレード１２４の温度ＴＢ（ｎ）［℃］が第５所定温度Ｔ５［℃］以下であり、かつ、取得した現像ローラ１２３の温度ＴＤ（ｎ）［℃］が第５所定温度Ｔ５［℃］以下であると判定した場合（Ｓ４０３，Ｙｅｓ）、制御部１００は、ステップＳ４０４へ進んで、用紙Ｐの搬送間隔Ｄを第１間隔Ｄ１［ｓ］にするとともに、現像ローラ１２３の回転速度Ｖを第１速度Ｖ１［ｒｐｍ］にする。
【０１１４】
一方、ステップＳ４０３で、取得した層厚規制ブレード１２４の温度ＴＢ（ｎ）［℃］が第５所定温度Ｔ５［℃］以下であり、かつ、取得した現像ローラ１２３の温度ＴＤ（ｎ）［℃］が第５所定温度Ｔ５［℃］以下である、という条件を満たさないと判定した場合（Ｓ４０３，Ｎｏ）、制御部１００は、用紙Ｐの搬送間隔Ｄを第２間隔Ｄ２［ｓ］にするとともに、現像ローラ１２３の回転速度Ｖを第２速度Ｖ２［ｒｐｍ］にする（Ｓ４０５）。
【０１１５】
ステップＳ４０４またはステップＳ４０５で、用紙Ｐの搬送間隔Ｄと現像ローラ１２３の回転速度Ｖを決定すると、制御部１００は、温度判定を終了する。
【０１１６】
図３に示すように、制御部１００は、温度判定の後、印字処理を実行（継続）する（Ｓ５）。
【０１１７】
そして、制御部１００は、フロントカバー２３が開いているか否かを判定する（Ｓ６）。
【０１１８】
ステップＳ６で、フロントカバー２３が開いていないと判定した場合（Ｓ６，Ｎｏ）、制御部１００は、ステップＳ２に戻って温度演算を行う。一方、ステップＳ６で、フロントカバー２３が開いていると判定した場合（Ｓ６，Ｙｅｓ）、制御部１００は、カバー開時処理を行う（Ｓ７）。
【０１１９】
図１０に示すように、制御部１００は、カバー開時処理を開始すると、まず、フロントカバー２３が閉じているか否かを判定する（Ｓ７０１）。
【０１２０】
ステップＳ７０１で、フロントカバー２３が閉じていないと判定した場合（Ｓ７０１，Ｎｏ）、制御部１００は、フロントカバー２３が閉じていると判定するまで温度演算を継続しながら待機する。
【０１２１】
ステップＳ７０１で、フロントカバー２３が閉じていると判定した場合（Ｓ７０１，Ｙｅｓ）、制御部１００は、現像カートリッジ１０が新品であるか否かを判定する（Ｓ７０２）。
【０１２２】
ステップＳ７０２で、現像カートリッジ１０が新品であると判定した場合（Ｓ７０２，Ｙｅｓ）、制御部１００は、現在の層厚規制ブレード１２４の温度ＴＢ（ｎ）を外気温センサＳＥ２が検知した外気温Ｔｏｕｔ（ｎ）［℃］にするとともに、現在の現像ローラ１２３の温度ＴＤ（ｎ）を外気温センサＳＥ２が検知した外気温Ｔｏｕｔ（ｎ）［℃］にする（Ｓ７０３）。そして、制御部１００は、フロントカバー２３を３分以上開けていたか否かを判定する（Ｓ７０４）。
【０１２３】
一方、ステップＳ７０２で、現像カートリッジ１０が新品でないと判定した場合（Ｓ７０２，Ｎｏ）、制御部１００は、ステップＳ７０４に進んでフロントカバー２３を３分以上開けていたか否かを判定する。
【０１２４】
ステップＳ７０４で、フロントカバー２３を３分以上開けていたと判定した場合（Ｓ７０４，Ｙｅｓ）、制御部１００は、現在の層厚規制ブレード１２４の温度ＴＢ（ｎ）［℃］が機内温度Ｔｉｎ（ｎ）［℃］より大きく、かつ、現在の現像ローラ１２３の温度ＴＤ（ｎ）［℃］が機内温度Ｔｉｎ（ｎ）［℃］より大きいか否かを判定する（Ｓ７０５）。
【０１２５】
ステップＳ７０５で、現在の層厚規制ブレード１２４の温度ＴＢ（ｎ）［℃］が機内温度Ｔｉｎ（ｎ）［℃］より大きく、かつ、現在の現像ローラ１２３の温度ＴＤ（ｎ）［℃］が機内温度Ｔｉｎ（ｎ）［℃］より大きいと判定した場合（Ｓ７０５，Ｙｅｓ）、制御部１００は、現在の層厚規制ブレード１２４の温度ＴＢ（ｎ）を機内温度センサＳＥ１が検知した機内温度Ｔｉｎ（ｎ）［℃］とするとともに、現在の現像ローラ１２３の温度ＴＤ（ｎ）を機内温度センサＳＥ１が検知した機内温度Ｔｉｎ（ｎ）［℃］とする（Ｓ７０６）。
【０１２６】
一方、ステップＳ７０４で、フロントカバー２３を３分以上開けていないと判定した場合（Ｓ７０４，Ｎｏ）、制御部１００は、カバー開時処理を終了する。また、ステップＳ７０５で、現在の層厚規制ブレード１２４の温度ＴＢ（ｎ）［℃］が機内温度Ｔｉｎ（ｎ）［℃］より大きく、かつ、現在の現像ローラ１２３の温度ＴＤ（ｎ）［℃］が機内温度Ｔｉｎ（ｎ）［℃］より大きいという条件を満たさなかった場合（Ｓ７０５，Ｎｏ）、制御部１００は、カバー開時処理を終了する。
【０１２７】
図３に示すように、制御部１００は、カバー開時処理を終了すると、ステップＳ２に戻って温度演算を行う。
【０１２８】
以上のように構成されたレーザプリンタ１の作用および効果について説明する。
印字動作中やフロントカバー２３を閉じた後印字動作前に行われるウォーミング動作により現像ローラ１２３が回転すると、摩擦などによって現像ローラ１２３と層厚規制ブレード１２４の温度が上昇する。また、定着器７がＯＮ状態になっていると、加熱部７１からの熱により、現像カートリッジ１０が温められる。
【０１２９】
レーザプリンタ１では、制御部１００により、機内温度センサＳＥ１が検知した機内温度と、外気温センサＳＥ２が検知した外気温、および、現像ローラ１２３の駆動状態に基づいて現像ローラ１２３の温度と層厚規制ブレード１２４の温度を演算し、印字動作中に、現像ローラ１２３の温度と層厚規制ブレード１２４の温度が第５所定温度Ｔ５より高くなると、冷却制御を実行する。これにより、適切に冷却制御が実行されるので、トナーの劣化を抑制することができる。
【０１３０】
特に、本実施形態では、現像ローラ１２３の温度と層厚規制ブレード１２４の温度のうち少なくとも一方が第５所定温度Ｔ５より高くなると冷却処理が実行されるので、現像ローラ１２３の温度と層厚規制ブレード１２４の温度のどちらか一方のみで冷却制御の実行を判定する場合によりも、適切なタイミングで冷却制御を実行することができる。
【０１３１】
そして、制御部１００は、現像ローラ１２３の温度と層厚規制ブレード１２４の温度の演算で使用する定数を、現像ローラ１２３の駆動状態に応じて変えるので、現像ローラ１２３の駆動状態の違いによる現像カートリッジ１０の温度変化の違いを考慮して演算することができる。これにより、適切に冷却制御を実行することができる。
【０１３２】
また、片面印字を実行する場合のように、冷えた用紙Ｐのみがプロセスカートリッジ６に供給される場合と、両面印字を実行する場合のように、定着器７を通って加熱された用紙Ｐがプロセスカートリッジ６に供給される場合とで、現像カートリッジ１０の温度変化に違いがあるが、制御部１００は、現像ローラ１２３の温度と層厚規制ブレード１２４の温度の演算で使用する定数を、片面印字を実行する場合と両面印字を実行する場合とで変えるので、片面印字を実行する場合と両面印字をする場合とで、現像カートリッジ１０の温度変化の違いを考慮して演算することができる。
【０１３３】
そして、小サイズ紙に印字をする場合は、用紙Ｐの熱容量が小さいので、小サイズ紙よりも大きい用紙Ｐに印字をする場合よりも現像カートリッジ１０から用紙Ｐに伝わる熱量が小さく、現像カートリッジ１０の温度が上昇しやすい。本実施形態では、制御部１００は、現像ローラ１２３の温度と層厚規制ブレード１２４の温度の演算で使用する定数を、小サイズ紙に印字する場合と、小サイズ紙よりも大きい用紙Ｐに印字をする場合とで変えるので、用紙Ｐのサイズの違いによる現像カートリッジ１０の温度変化の違いを考慮して演算することができる。
【０１３４】
また、制御部１００は、現像ローラ１２３の温度と層厚規制ブレード１２４の温度の演算で使用する定数を、ファン８１の稼働状態に応じて変えるので、ファン８１による機内の冷却効果の違いによる現像カートリッジ１０の温度変化の違いを考慮して演算することができる。
【０１３５】
そして、制御部１００は、現像ローラ１２３の温度と層厚規制ブレード１２４の温度の演算で使用する定数を、定着器７の稼働状態に応じて変えるので、定着器７の稼働状態による現像カートリッジ１０の温度変化の違いを考慮して演算することができる。
【０１３６】
本実施形態では、プロセスカートリッジ６に温度センサを設けていないので、プロセスカートリッジ６のコストを抑えることができる。
【０１３７】
また、機内温度センサＳＥ１は、筐体２内の定着器７と現像ローラ１２３の間の位置に配置されているので、機内温度センサＳＥ１で、定着器７から現像カートリッジ１０に向けて流れる熱を測定することができる。
【０１３８】
そして、外気温センサＳＥ２は、吸気口８２に対面して配置されているので、外気温センサＳＥ２で、筐体２内に取り込まれた外気温を適切に測定することができる。
【０１３９】
以上、本発明の実施形態について説明したが、本発明は前記実施形態に限定されるものではない。具体的な構成については、本発明の趣旨を逸脱しない範囲で適宜変更が可能である。
【０１４０】
前記実施形態では、制御部１００が、冷却制御において、用紙Ｐの搬送間隔Ｄを冷却制御を実行しないときよりも長くするとともに、現像ローラ１２３の回転速度Ｖを冷却制御を実行しないときよりも低い速度にしていたが、冷却制御はこれに限定されるものではない。例えば、制御部１００は、冷却制御において、現像ローラ１２３を停止させてもよい。
【０１４１】
また、制御部１００は、冷却制御において、ファン８１の速度を、冷却制御を実行していないときよりも大きくしてもよい。
【０１４２】
そして、記憶部１５０は、印字ジョブの種類（片面印字、両面印字、用紙サイズ）や外気温に応じた複数の第２間隔Ｄ２や、第２速度Ｖ２を記憶していてもよい。そして、制御部１００は、冷却制御において、印字ジョブの種類（片面印字、両面印字、用紙サイズ）や外気温に応じて第２間隔Ｄ２や第２速度Ｖ２を切り替えてもよい。
【０１４３】
前記実施形態では、制御部１００の印字制御部１１０が、現在の層厚規制ブレード１２４の温度ＴＢ（ｎ）と現像ローラ１２３の温度ＴＤ（ｎ）の少なくとも一方が第１閾値である第５所定温度Ｔ５より大きい場合に、冷却制御を実行し、現在の層厚規制ブレード１２４の温度ＴＢ（ｎ）と現像ローラ１２３の温度ＴＤ（ｎ）の両方が、第２閾値である第４所定温度Ｔ４を下回ったときに、冷却制御の実行を停止するように構成されていたが、制御部の構成はこれに限定されるものではない。例えば、制御部は、第１の閾値と第２閾値を印字ジョブの種類（片面印字、両面印字、用紙サイズ）や外気温によって切り替え、その第１閾値と第２閾値を現在の層厚規制ブレード１２４の温度ＴＢ（ｎ）と現像ローラ１２３の温度ＴＤ（ｎ）と比較するように構成されていてもよい。
【０１４４】
また、制御部１００は、現在の層厚規制ブレード１２４の温度ＴＢ（ｎ）と現像ローラ１２３の温度ＴＤ（ｎ）を、第１閾値を含む複数の閾値と比較し、現在の層厚規制ブレード１２４の温度ＴＢ（ｎ）と現像ローラ１２３の温度ＴＤ（ｎ）の少なくとも一方がより高い閾値を超えた場合に、用紙Ｐの搬送間隔Ｄをより大きい間隔にしたり、現像ローラ１２３の回転速度Ｖをより小さくしたりしてもよい。具体的には、制御部１００は、現在の層厚規制ブレード１２４の温度ＴＢ（ｎ）と現像ローラ１２３の温度ＴＤ（ｎ）の少なくとも一方が、第５所定温度Ｔ５よりも高い所定の温度を超えた場合、用紙Ｐの搬送間隔Ｄを、第２間隔Ｄ２よりも大きい間隔にしたり、現像ローラ１２３の回転速度Ｖを、第２速度Ｖ２より小さい回転速度またはゼロとしたりしてもよい。
【０１４５】
前記実施形態では、レーザプリンタ１は、読取部３０が、現像カートリッジ１０に搭載されたＩＣ１０Ａの情報を読み取ることで、現像カートリッジ１０が新品であるか否かを検知するように構成されていたが、現像カートリッジ１０が新品であるか否かを検知するための構成はこれに限定されるものではない。例えば、レーザプリンタ１と現像カートリッジ１０は、現像カートリッジ１０の駆動に連動して動作する新品検知機構を備えていてもよい。一例として、現像カートリッジ１０は、筐体２に装着された際、新品のときの位置から不可逆的に移動する被検知部材を有し、筐体２は、被検知部材の位置を検知する交換検知センサ６５を備えていてもよい。
【０１４６】
前記実施形態では、制御部１００が、片面印字と両面印字とで、プロセスカートリッジ６の温度を演算するための定数を切り替えていたが、制御部の構成はこれに限定されるものではない。例えば、制御部は、用紙Ｐの第１面に印字をするときと、用紙Ｐの第２面に印字をするときとで、プロセスカートリッジ６の温度を演算するための定数を切り替えるようになっていてもよい。
【０１４７】
前記実施形態では、定着ベルトやニップ板を備える加熱部７１を例示したが、加熱部の構成はこれに限定されるものではない。例えば、加熱部は、加熱ローラと、加熱ローラの内側に配置されるハロゲンヒータとを主に備えた構成であってもよい。
【符号の説明】
【０１４８】
１      レーザプリンタ
２      筐体
６      プロセスカートリッジ
７      定着器
２３    フロントカバー
７１    加熱部
８２    吸気口
１２３  現像ローラ
１２４  層厚規制ブレード
１５０  記憶部
Ｐ      用紙
ＳＥ１    機内温度センサ
ＳＥ２    外気温センサ
【図１】
0006569308.tif 000002
【図２】
0006569308.tif 000003
【図３】
0006569308.tif 000004
【図４】
0006569308.tif 000005
【図５】
0006569308.tif 000006
【図６】
0006569308.tif 000007
【図７】
0006569308.tif 000008
【図８】
0006569308.tif 000009
【図９】
0006569308.tif 000010
【図１０】
0006569308.tif 000011